(57)【要約】【課題】同じ被検者の同じ位置の断層像を簡単、迅速、正確に、かつ自動的に得る。【解決手段】ＭＲＩ装置を、静磁場コイル２と、傾斜磁場コイル３と、傾斜磁場コイル電源４と、照射コイル５と、この照射コイル５から被検者にＲＦ磁場を照射する送信系６と、ＮＭＲ現象により放出されるエコー信号を検出する受信コイル７と受信系８と、この受信系８で検出したエコー信号を用いて画像再構成演算処理を行う信号処理系９と、画像を表示する表示手段１０と、これらを制御する操作卓１１と、データを蓄積する記憶装置１２と、被検者１を乗せ、筐体１４内に移動する天板１５と、投光器１７からの光が受光器１８で受信されてから、記憶装置１２に記憶されている前回の移動量だけ天板１５を移動するモーター１６と、その移動量を計測するポテンシオメーター１９から構成する。【選択図】　　図１
2004049573.tif 000002
【特許請求の範囲】
【請求項１】
被検者を受け入れかつ磁気共鳴イメージング画像撮影空間を画成する静磁場コイル、傾斜磁場コイルおよび高周波磁場コイルを有する筐体；被検者を乗せ筐体中の磁気共鳴イメージング画像撮影空間に導入するベッドに支持された移動可能な天板；および被検者に装着され被検者の検査部位から発される核磁気共鳴信号を受信する受信コイルを備えた磁気共鳴イメージング装置において、磁気共鳴イメージング装置は、更に、上記受信コイルの所定位置に取り付けられた投光器あるいは受光器の一方；上記筐体の所定位置に取り付けられた投光器あるいは受光器の他方；および上記投光器からの光を上記受光器が受けた後の天板の移動量で表わされる被検者の磁気共鳴イメージング画像撮影位置を記憶する記憶装置を有し、同一の被検者について、再度同一の位置の磁気共鳴イメージング画像を撮影する際には、上記受信コイルを装着した同一被検者を乗せた天板は、上記投光器からの光を上記受光器が受けた後、上記記憶装置に記憶されている前回の磁気共鳴イメージング画像撮影位置を表わす天板移動量だけ移動されることを特徴とする磁気共鳴イメージング装置。
【発明の詳細な説明】
【０００１】
【発明の属する技術分野】
本発明は、磁気共鳴イメージング（以下ＭＲＩと称する）装置に関し、特に同一の被検者について、後に同一のスライス位置のＭＲＩ画像を正確、迅速から簡単に撮影出来る機能を有するＭＲＩ装置に関する。
【０００２】
【従来の技術】
ＭＲＩ装置の医療現場での臨床応用の一例として、同一の被検者について手術の前後の変化あるいは病巣の経過を観察するため時間を置いて同一の位置のＭＲＩ画像を取得する必要がしばしばある。
【０００３】
従来このような必要を満たすため、まず、マークの施された核磁気共鳴信号受信のための受信コイルを着用した被検者を天板上に横たえ、被検者を受け入れかつＭＲＩ画像撮影空間を画成する静磁場コイル、傾斜磁場コイルおよび高周波磁場コイル等を有する筐体に取り付けた投光器のポインターが受信コイルのマーカに当たるように天板および被検者の位置を調整し、投光器のポインターが受信コイルのマーカに当たった位置を基準として、天板上に乗せられた被検者をＭＲＩ画像撮影空間に導入し、上記基準位置からの天板移動量で表わされるＭＲＩ画像撮影位置を個別に記録しておき、次に同一被検者について同一位置のＭＲＩ画像取得の必要が生じた際には初回と同様にまず天板および被検者を調整して、受信コイル上のマーカと投光器ポインターとの一致を取り、その後記録されている先の天板移動量に従って天板を移動し、同一位置のＭＲＩ画像を取得していたが、このように撮影準備に手間がかかると共に正確性を欠くという問題があった。
【０００４】
【発明が解決しようとする課題】
本発明は、上記の従来の問題点を解決し、同一の被検者について、前回と同じ位置のＭＲＩ画像を迅速、簡単、正確に撮影出来る機能を備えたＭＲＩ装置を提供することを目的とする。
【０００５】
【課題を解決するための手段】
上記の目的を達成する本発明のＭＲＩ装置は、被検者に静磁場を与える静磁場コイルと、被検者に傾斜磁場を与える傾斜磁場コイルと、被検者の生体組織を構成する原子の原子核に核磁気共鳴（ＮＭＲ）現象を起こさせる高周波パルスを所定のパルスシーケンスで、繰り返し印加する照射コイル、この照射コイルからの高周波パルスにより被検者に高周波磁場を照射する送信系を備えている筐体と、ＮＭＲ現象によって放出されるエコー信号を検出する被検者の検出部位に取り付けられた受信コイルとその受信コイルに取り付けられた投光器と、被検者を乗せ筐体内に移動する機能を備えている天板と、その投光器からの光を受信することの出来る筐体に取り付けられた受光器と、天板を移動可能に支えているベッドと、受信コイルからの信号を受信する受信系、この受信系で検出されたエコー信号を用いて、画像再構成演算を行う信号処理系（ＣＰＵ）と、画像を表示する表示手段（ディスプレー）と、これらＣＰＵおよびディスプレーを制御するための操作卓と、それぞれの被検者についてのＭＲＩ画像取得位置を表わす天板移動量を含むデータを蓄積する記憶装置を備えていることを特徴とする。
【０００６】
【発明の実施の形態】
図１は本発明の一実施例を模式的に示す図である。図１において、本実施例は、被検者１に静磁場を与える静磁場コイル２と、被検者に傾斜磁場を与える傾斜磁場コイル３と傾斜磁場コイル電源４と、被検者１の生体組織を構成する原子の原子核にＮＭＲ現象を起こさせる高周波パルス（以下ＲＦパルスという）を所定のパルスシーケンスで繰り返し印加する照射コイル５と、この照射コイル５からのＲＦパルスにより被検者１にＲＦ磁場を照射する送信系６と、ＮＭＲ現象により放出されるエコー信号を検出する被検者１に取り付けられた受信コイル７と受信系８、この受信系８で検出したエコー信号を用いて画像再構成演算を行う信号処理系（ＣＰＵ）９と、画像を表示する表示手段（ディスプレー）１０と、これらを制御するための操作卓１１と、データを蓄積する記憶装置１２と、静磁場コイル２、傾斜磁場コイル３、および照射コイル５を保持し、点線で示された被検者１を受け入れＭＲＩ画像撮影空間を画成する筐体１４、被験者１を乗せ、筐体１４のＭＲＩ画像撮影空間に移動するベッドに支持された天板１５、天板１５をベッドから移動させるモーター１６、被験者に填め込み式あるいはカセット式に装着された受信コイル７の上に取り付けられた投光器１７、筐体１４のＭＲＩ画像撮影空間入口側に取り付けられた受光器１８および天板１５の移動量を計測するポテンシオメーター１９から構成されている。
【０００７】
ある被検者の最初のＭＲＩ画像撮影に際しては、まず被検者１を天板１５に寝かせ、受信コイル７をセットして、天板１５を筐体１４内に移動を開始するために、操作卓１１から移動ボタンを押す。操作卓１１から移動ボタンが押されるとモータ１６は天板１５の移動を開始し、投光器１７から発された光が受光器１８で受信された時点からポテンシオメーター１９によって天板１５の移動量の計測が開始される。先の移動ボタンを使って天板１５の前進後退を繰り返し希望する被検者１のＭＲＩ画像撮影位置を定め撮影が実行される。この時の天板移動量はＭＲＩ画像撮影位置を表わすデータとして被検者を特定するデータと共に記憶装置１２に記憶される。
【０００８】
次に、同一の被検者について、同一の位置のＭＲＩ画像を取得する必要が生じた場合には、前回と同様に被検者１を天板１５に寝かせ、受信コイル７をセットして操作卓１１から移動ボタンを押すと、記憶装置１２に記憶されている前回の移動量に相当する信号がモータ１６に送られ、天板１５は移動を開始し、受光器１８が投光器１７からの光を受光した後、前回の移動量だけ天板１５が移動して停まり前回と同じ位置に被検者１がセットされる。
【発明の効果】
本発明により、被検者の検査位置を前回と同じ検査位置にセットする手間が省け、かつ簡単、迅速、正確かつ自動的に同じ位置の断層像を得ることができる。
【図面の簡単な説明】
【図１】本発明の一実施例を示す構成図
【符号の説明】
１　　　被検者
２　　　静磁場コイル
３　　　傾斜磁場コイル
４　　　傾斜磁場コイル電源
５　　　照射コイル
６　　　送信系
７　　　受信コイル
８　　　受信系
９　　　信号処理系（ＣＰＵ）
１０　　表示手段（ディスプレー）
１１　　操作卓
１２　　記憶装置
１３　　投光器
１４　　筐体
１５　　天板
１６　　モーター
１７　　投光器
１８　　受光器
１９　　ポテンシオメーター
【図１】
2004049573.tif 000003